(57)【要約】【課題】蓋体の安全ロックと蓋ロックが容易に解除されないようにしながら、蓋体の開放操作を分かり易くした飲料用容器の栓体構造を提供する。【解決手段】蓋体６を閉状態にロック可能なロックレバー８４と、蓋体６の上方位置に付勢支持されることによりロックレバー８４の蓋ロック状態を解除不能に維持している一方、蓋体６の下方に向けた第１押圧操作により下降し、第１押圧操作からの蓋体６の内方に向けた第２押圧操作により蓋ロック状態を解除する開閉レバー８１と、開閉レバー８１を第１押圧操作及び第２押圧操作が可能な状態に支持する支持部材８２ｃと、を備え、支持部材８２ｃが、第１押圧操作がなされた開閉レバー８１を第２押圧操作を行う第２押圧操作方向にガイドする第１傾斜ガイド面８２ｉを介して開閉レバー８１に支持されている。【選択図】図４１
2019206369.tif 000002
【特許請求の範囲】
【請求項１】
ボトル本体の開口部に対して取り付けられた飲料注出口を有する栓本体と、
前記栓本体に弧回動可能に軸支され、前記飲料注出口をシール可能な蓋体と、
前記蓋体を閉状態にロック可能なロックレバーと、
前記蓋体の上方位置に付勢支持されることにより前記ロックレバーの蓋ロック状態を解除不能に維持している一方、前記蓋体の下方に向けた第１押圧操作により下降し、前記第１押圧操作からの前記蓋体の内方に向けた第２押圧操作により前記蓋ロック状態を解除する開閉レバーと、
前記開閉レバーを前記第１押圧操作及び前記第２押圧操作が可能な状態に支持する支持部材と、を備え、
前記支持部材が、前記第１押圧操作がなされた前記開閉レバーを前記第２押圧操作を行う第２押圧操作方向にガイドする傾斜ガイド面を介して前記開閉レバーに支持されている飲料用容器の栓体構造。
【請求項２】
前記開閉レバーの押圧操作面が傾斜面となっており、前記傾斜面により前記第１押圧操作に続いて前記開閉レバーに作用する上方から下方に向けた押圧力を前記第２押圧操作方向に向けて作用させるように構成されている請求項１に記載の飲料用容器の栓体構造。
【請求項３】
前記支持部材の下部には、前記第２押圧操作による前記開閉レバーの押圧操作完了時において前記栓本体の上面を蹴り上げて前記蓋体を開放する蹴り上げ部が設けられている請求項１または２に記載の飲料用容器の栓体構造。
【発明の詳細な説明】
【技術分野】
【０００１】
本発明は、通常の蓋ロック機能に加えて開閉レバーの不用意な押圧により蓋体が開かれないようにした安全ロック機能を有する飲料用容器の栓体構造に関し、さらに詳しくは、蓋体の開放操作を容易にした飲料用容器の栓体構造に関する。
【背景技術】
【０００２】
最近のステンレスボトルでは、飲料を収容するボトル本体上端側の開口部に、直飲みできる飲み口部を備えた栓体を嵌合するとともに、その上部を覆う蓋体を設けたものが多くなっている。
【０００３】
蓋体は、例えば栓体の周方向の一側部に設けられたヒンジ部等の軸支部により上下方向に弧回動可能に軸支されており、下方に回動した状態で飲み口部を覆ってシールする一方、上方から後方に回動した状態で飲み口部及び飲料注出口を開放するようになっている。
【０００４】
そして、蓋体には、蓋体を閉状態にロック可能なロックレバーと、ロックレバーの蓋ロック状態を解除する開閉レバーとが設けられている。開閉レバーには、例えば操作の容易なワンプッシュ型のものが多く用いられており、蓋体の前端部に栓体前後方向への押圧回動レバーを設け、押圧回動レバーを栓体後方に押圧した時にロックレバーの蓋ロック状態が解除されるように構成されている（例えば、特許文献１、特許文献２の栓体構造を参照）。
【０００５】
しかし、このような構成では、飲料用容器を鞄等に入れて持ち運んでいるときに、何かに当たって不用意に開閉レバーが押圧され、蓋体が開かれて、飲料が流出することもある。
【０００６】
そこで、最近では、開閉レバーにスライド型のロックカバー部材を設け、携帯時などには、前記ロックカバー部材をスライドさせて開閉レバーの押圧操作部を覆い、容易には押圧操作できないようにした安全ロック型構造のものも提供されている。
【０００７】
しかし、このような安全ロック構造の場合にも、あくまでもロックカバー部材をスライドさせて開閉レバーの押圧操作部を覆うことが条件であり、使用者がロックカバーを掛け忘れると、従来と全く同様の状態となり、やはり開閉レバーが不用意に押圧される恐れがある。また、この安全ロック構造は、単にロックカバー部材をスライドさせて開閉レバーの押圧操作部を覆うだけの構成であるから、鞄の中の他の収納物に当接し、また外部からの衝撃を受けて、ロックカバー部材がスライドし、安全ロックが解除されてしまうということも起こり得る。
【０００８】
そこで、このような事情に鑑み、本発明者は、ボトル本体の開口部に対して取り付けられた飲料注出口を有する栓本体と、栓本体の周方向一側部に軸支され、上下方向に弧回動開閉する飲料注出口のシール機能を備えた蓋体と、蓋体を閉状態にロック可能なロックレバーと、ロックレバーの蓋ロック状態を解除する開閉レバーとを有する飲料用容器の栓体において、開閉レバーを昇降可能な支持部材に回動軸を介して弧回動可能に支持することにより、上昇状態では常に蓋ロック状態に維持されるようにするとともに、栓体下方への第１押圧操作によって所定の位置まで下降させるとロック解除可能な状態となり、第１押圧操作をした下降状態において、栓体後方へ回動させる第２押圧操作がなされると初めてロックレバーのロックを解除できるようにした。このように、開閉レバーが栓体下方に押圧操作されていない状態では、ロックレバーのロックを解除できないようにすることによって、開閉レバーが、鞄の中の他の収納物等に当接し、また外部からの衝撃を受けた程度では開操作されない、より確実な安全ロック構造を提案している（例えば特許文献３の栓体構造を参照）。
【０００９】
このような構成によると、まず開閉レバーの蓋体開放操作が、栓体に対する垂直方向上方から下方への第１操作（押圧操作；安全ロック解除）と、第１操作とは操作方向を異にする栓体に対する前方から後方への第２操作（回動操作；蓋ロック解除）との相互に独立した２種、２段階の操作を経て行われるようになっており、栓体に対する垂直方向上方から下方への第１操作のみでは蓋体が開かれることはなくなる。これら操作方向、操作方法を異にする第１操作と第２操作とが、鞄の中での収納物との当接や外部からの衝撃で、同時に、または順を追って生じるということを通常は想定できない。したがって、同構成によれば、開閉レバーの極めて確実な安全ロック機能を実現できる。
【先行技術文献】
【特許文献】
【００１０】
【特許文献１】特開２００８−２３９１７７号公報
【特許文献２】特開２０１２−１２１６１４号公報
【特許文献３】特開２０１７−１６５４２４号公報
【発明の概要】
【発明が解決しようとする課題】
【００１１】
しかし、以上の構成の場合、上述のように開閉レバーの支持部材による支持は回動軸を介した固定状態での支持であり、一体での上下方向への昇降移動、単独での前後方向への弧回動は可能であるが、前後方向への相対的なスライド移動は不可能である。したがって、蓋体を開閉するに際して、共通する１つの開閉レバーを用いて、その開閉レバーを、まず上方から下方に押し下げる第１操作（押圧操作；安全ロック解除）、次に開閉レバーを下方に押し下げた状態において後方に回動させる第２操作（回動操作；蓋ロック解除）の操作方向及び操作方法が異なる２種、２段階の独立した操作を連続して行うことが必要であり、操作方法が分かりづらい問題があった。
【００１２】
本発明は、このような問題を解決するためになされたもので、蓋体の安全ロックと蓋ロックが容易に解除されないようにしながら、蓋体の開放操作を分かり易くした飲料用容器の栓体構造を提供することを目的としている。
【課題を解決するための手段】
【００１３】
本発明に係る飲料用容器の栓体構造は、ボトル本体の開口部に対して取り付けられた飲料注出口を有する栓本体と、前記栓本体に弧回動可能に軸支され、前記飲料注出口をシール可能な蓋体と、前記蓋体を閉状態にロック可能なロックレバーと、前記蓋体の上方位置に付勢支持されることにより前記ロックレバーの蓋ロック状態を解除不能に維持している一方、前記蓋体の下方に向けた第１押圧操作により下降し、前記第１押圧操作からの前記蓋体の内方に向けた第２押圧操作により前記蓋ロック状態を解除する開閉レバーと、前記開閉レバーを前記第１押圧操作及び前記第２押圧操作が可能な状態に支持する支持部材と、を備え、前記支持部材が、前記第１押圧操作がなされた前記開閉レバーを前記第２押圧操作を行う第２押圧操作方向にガイドする傾斜ガイド面を介して前記開閉レバーに支持されていることを特徴としている。
【００１４】
このような構成によれば、蓋体を開閉するに際して、共通する１つの開閉レバーを用いて、開閉レバーが蓋体の上方位置に付勢支持されている場合には、ロックレバーの蓋ロック状態を解除することができない状態に維持できる。したがって、従来のものと同様の確実な安全ロック機能を実現できる。
【００１５】
一方、開閉レバーを上方から下方に押し下げる第１押圧操作を行うと安全ロック機能が解除され、開閉レバーを下方に押し下げた状態において、さらに蓋体の内方に向けて移動させる第２押圧操作を行うと、ロックレバーを解除方向に作動させて蓋ロック状態を解除できる。
【００１６】
この場合、従来の構成では、開閉レバーが支持部材に対して回動軸を介して弧回動可能に支持されており、開閉レバーの支持位置は支持部材に対して固定であり、開閉レバー単独での相対的な移動は不可能である。したがって、第１操作と第２操作は、蓋体の垂直方向下方への押圧操作と蓋体の水平方向後方への回動操作との操作方向、操作方法が異なる２種、２段階の独立した操作となっていて、蓋体の開放操作が分かりづらかった。
【００１７】
これに対し、本発明では、支持部材が開閉レバーを操作方向が異なる２種の操作が可能な状態に支持しているのは同じでも、２種の操作がいずれも押圧操作である。さらに、支持状態は、従来のような回動軸による固定ではなく、第１押圧操作がなされた開閉レバーを第２押圧操作方向にガイドする傾斜ガイド面を介してスライド可能に支持している。
【００１８】
よって、まず、開閉レバーに対して上方から下方に向けた第１押圧操作がなされると、開閉レバーが第１押圧操作によって所定位置まで下降し、その下降した状態で安全ロック状態が解除される。そして、その後も同様に開閉レバーを下方に向けて押圧すると、開閉レバーは、支持部材の傾斜ガイド面によりガイドされて緩やかに下降し、そのまま蓋体内方に向けたロックレバー作動のための第２押圧操作状態が実現される。そして、それにより、最終的な蓋体の蓋ロック解除状態が実現される。
【００１９】
つまり、蓋体の下方への第１押圧操作により下降し、その第１押圧操作からの蓋体の内側下方へ向けて行われる開閉レバーの第２押圧操作が傾斜ガイド面及び傾斜した押圧操作面によって適切にガイドされて、第１押圧操作と第２押圧操作とが連続した操作となる。また、操作方向の異なる第１押圧操作、第２押圧操作は、共に操作態様としては共通の押圧操作となり、感覚的に分かり易くなる。したがって、使用者は、操作方法を特に意識することなく開閉レバーの感覚的な押圧操作で、蓋体を開状態にすることができる。
【００２０】
したがって、本発明であれば、蓋体の安全ロックと蓋ロックが容易に解除されないようにしながら、蓋体の開放操作も分かり易い飲料用容器の栓体構造を好適に構成できる。
【００２１】
さらに、本発明において、前記開閉レバーの押圧操作面が傾斜面となっており、前記傾斜面により前記第１押圧操作に続いて前記開閉レバーに作用する上方から下方に向けた押圧力を前記第２押圧操作方向に向けて作用させるように構成されていると好適である。
【００２２】
このような構成によれば、上方から下方に押圧されてきた開閉レバーは、下降不能となった下降規制位置から、支持部材の傾斜ガイド面によるガイド作用に加えて、さらに傾斜面による蓋体内方への押圧ガイド作用が加わる。
【００２３】
その結果、より確実、かつスムーズな形で蓋体の内方に向けた第２押圧操作状態が実現されるようになり、操作方向の異なる２つの操作形態を採用しながらも、より連続性のある操作感を実現できる。
【００２４】
さらに、本発明において、前記支持部材の下部には、前記第２押圧操作による前記開閉レバーの押圧操作完了時において前記栓本体の上面を蹴り上げて前記蓋体を開放する蹴り上げ部が設けられていると好適である。
【００２５】
このような構成によれば、第２押圧操作完了（開閉レバーによる蓋ロック解除完了）に連動して支持部材の下部の蹴り上げ部が栓本体（栓カバー）の上面を蹴り上げて確実に蓋体を開放するので、その後、不用意に開閉レバーの押圧操作を止めたとしても、ロックレバー復帰による蓋体の再ロックを防止して、確実に蓋体を開放させることができるようになる。
【００２６】
従来の構成では、このような構成が採用されていなかったので、蓋ロック解除後、指で蓋体を跳ね上げるなどの操作を行なわないと、ロックレバーの復帰により再ロックがかかるケースがあったが、以上の構成では、そのような問題がなくなり、さらに操作性が向上する。
【００２７】
この蹴り上げ部は、例えば蓋ロック解除後の支持部材及び開閉レバー上昇位置を規制する係合片を兼用する形で形成される。
【図面の簡単な説明】
【００２８】
【図１】本発明の実施形態に係る飲料用容器の栓体及び本体部分を含めた容器全体の正面側右斜め方向から見た外観斜視図である。
【図２】栓体及びボトル本体を含めた同飲料用容器全体の内部構造を示す縦断面図である（見易さのためハッチングを省略してある）。
【図３】同飲料用容器の栓体の内部構造を示す断面図である。
【図４】同飲料用容器の栓体における蓋体の開閉機構の構造を示す要部拡大断面図である。
【図５】同飲料用容器の栓体の外観構造を示す蓋体閉状態の右側面図である。
【図６】同飲料用容器の栓体の外観構造を示す蓋体閉状態の正面図である。
【図７】同飲料用容器の栓体の外観構造を示す蓋体閉状態の後面図である。
【図８】同飲料用容器の栓体の外観構造を示す蓋体閉状態の平面図である。
【図９】同飲料用容器の栓体の外観構造を示す蓋体開状態の右側面図である。
【図１０】同飲料用容器の栓体の外観構造を示す蓋体開状態の正面側右斜め方向からの斜視図である。
【図１１】同飲料用容器の栓体の栓本体及び栓カバー部分の外観構造を示す右側面図である。
【図１２】同飲料用容器の栓体の栓本体及び栓カバー部分の外観構造を示す正面側右斜め方向からの斜視図である。
【図１３】同飲料用容器の栓体の栓本体及び栓カバー部分の外観構造を示す後面側右斜め方向からの斜視図である。
【図１４】同飲料用容器の栓体の蓋カバーを取り除いた状態における内部構造（蓋体の構造）を示す蓋体閉状態の正面側右斜め上方からの斜視図である。
【図１５】同飲料用容器の栓体の蓋カバーを取り除いた状態における内部構造（蓋体の構造）を示す蓋体閉状態の後面側左斜め上方からの斜視図である。
【図１６】同飲料用容器の栓体の蓋カバー及び開閉レバーを取り除いた状態における内部構造（蓋体の構造）を示す蓋体閉状態の正面側右斜め上方からの斜視図である。
【図１７】同飲料用容器の栓体の蓋カバーを取り除いた状態における蓋体の内部構造（開閉レバー及び蓋開閉スライド部材取付部の構造）を示す正面側右斜め上方から見た斜視図である。
【図１８】同飲料用容器の栓体の蓋カバーを取り除いた状態における蓋体の内部構造（開閉レバー、蓋開閉スライド部材、ロックレバーの取り付け構造）を示す正面側右斜め上方から見た分解斜視図である。
【図１９】同飲料用容器の栓体の蓋カバー、開閉レバー、蓋開閉スライド部材、ロックレバーを取り除いた状態における蓋体の内部構造（開閉レバー及び蓋開閉スライド部材取付部の構造）を示す正面側右斜め上方から見た斜視図である。
【図２０】同飲料用容器の栓体の蓋カバー、開閉レバー、蓋開閉スライド部材、ロックレバーを取り除いた状態における蓋体の内部構造（開閉レバー及び蓋開閉スライド部材取付部の構造）を示す右側面図である。
【図２１】同飲料用容器の栓体の蓋カバー、開閉レバー、蓋開閉スライド部材、ロックレバーを取り除いた状態における蓋体の内部構造（開閉レバー及び蓋開閉スライド部材取付部の構造）を示す平面図である。
【図２２】同飲料用容器の栓体の蓋カバー、開閉レバー、蓋開閉スライド部材、ロックレバーを取り除いた状態における蓋体の内部構造（ヒンジ部側の構造）を示す後面側右斜め上方から見た斜視図である。
【図２３】同飲料用容器の栓体の飲み口パッキンを取り除いた状態における蓋体の裏面構造を示す蓋体を裏返して正面側右斜め上方から見た斜視図である。
【図２４】同飲料用容器の栓体における開閉レバーの構造を示す正面側右斜め上方から見た斜視図である。
【図２５】同飲料用容器の栓体における開閉レバーの構造を示す後面側右斜め上方から見た斜視図である。
【図２６】同飲料用容器の栓体における開閉レバーの構造を示す正面図である。
【図２７】同飲料用容器の栓体における開閉レバーの構造を示す右側面図である。
【図２８】同飲料用容器の栓体における蓋開閉用スライド部材の構造を示す正面側右斜め上方から見た斜視図である。
【図２９】同飲料用容器の栓体における蓋開閉用スライド部材の構造を示す後面側右斜め上方から見た斜視図である。
【図３０】同飲料用容器の栓体における蓋開閉用スライド部材の構造を示す正面側左斜め上方から見た斜視図である。
【図３１】同飲料用容器の栓体における蓋開閉用スライド部材の構造を示す後面図である。
【図３２】同飲料用容器の栓体における蓋開閉用スライド部材の構造を示す左側面図である。
【図３３】同飲料用容器の栓体におけるロックレバーの構造を示す正面側右斜め上方から見た斜視図である。
【図３４】同飲料用容器の栓体におけるロックレバーの構造を示す後面側右斜め上方から見た斜視図である。
【図３５】同飲料用容器の栓体の開閉レバーの、ロック状態にある非押圧操作状態（ａ）から第１押圧操作状態（ｂ）を経て安全ロック機能を解除し、さらに第２押圧操作誘導状態（ｃ）を経てロックレバーのロック状態を解除するロック解除状態（ｄ）に至るまでの操作段階に対応した挙動変化を示す動作形態図である。
【図３６】同飲料用容器の栓体の蓋体における開閉レバーの図３５の（ａ）に対応した非押圧操作状態（蓋ロック状態）における動作形態を蓋カバーを取り外して示す斜視図である。
【図３７】同飲料用容器の栓体の蓋体における開閉レバーの図３５の（ｂ）に対応した第１押圧操作完了状態（安全ロック解除状態）における動作形態を蓋カバーを取り外して示す斜視図である。る。
【図３８】同飲料用容器の栓体の蓋体における開閉レバーの図３５の（ｃ）に対応した第２押圧操作開始状態（第２押圧操作誘導状態）における動作形態を蓋カバーを取り外して示す斜視図である。る。
【図３９】同飲料用容器の栓体の蓋体における開閉レバーの図３５の（ｄ）に対応した第２押圧操作完了状態（蓋ロック解除状態）における動作形態を蓋カバーを取り外して示す斜視図である。る。
【図４０】同飲料用容器の栓体の蓋体における開閉レバー、蓋開閉用スライド部材、ロックレバー各々の図３５の（ａ）に対応した非押圧操作状態（蓋ロック状態）における動作形態を示す断面図である。る。
【図４１】同飲料用容器の栓体の蓋体における開閉レバー、蓋開閉用スライド部材、ロックレバー各々の図３５の（ｂ）に対応した第１押圧操作完了状態（安全ロック解除状態）における動作形態を示す断面図である。る。
【図４２】同飲料用容器の栓体の蓋体における開閉レバー、蓋開閉用スライド部材、ロックレバー各々の図３５の（ｃ）に対応した第２押圧操作開始状態（第２押圧操作誘導状態）における動作形態を示す断面図である。る。
【図４３】同飲料用容器の栓体の蓋体における開閉レバーの図３５の（ｄ）に対応した第２押圧操作完了状態（蓋ロック解除状態）における動作形態を示す断面図である。る。
【発明を実施するための形態】
【００２９】
以下、添付の図１〜図４３を参照して、本発明に係る飲料用容器の栓体構造の実施形態について、詳細に説明する。本実施形態では、飲料用容器の一例として、保温機能の高い真空二重容器で構成されるステンレスボトルを挙げる。
＜ボトル本体１（本体ユニット）部分の構成＞
図１、図２等に示すように、ステンレスボトルのボトル本体１は、有底筒状構造のステンレス製の内容器１ａと同じく有底筒状構造となっている。ボトル本体１には、内容器１ａと、内容器１ａよりも大径のステンレス製の外ケース１ｂと、が備えられている。
【００３０】
ボトル本体１は、内容器１ａの第１上端側開口縁部２ａ、外ケース１ｂの第２上端側開口縁部２ｂ同士を相互に接合一体化することで、上端側に本体開口部３を有する真空断熱構造となっている。本体開口部３には、外周側下部に位置する段部構造の肩部３ｃ、外周側上部に位置する螺条部３ｄ及び小径のネック部３ｅ等が備えられている。
【００３１】
ボトル本体１には、本体開口部３に対して着脱可能に取り付けられている栓体１０（栓ユニット）が備えられている。栓体１０には、栓本体４、栓カバー５、蓋体６、蓋カバー７等が備えられている。
＜栓本体４及び栓カバー５の構成＞
図３、図４、図９〜図１３に示すように、栓本体４は、ボトル本体１の上端側の本体開口部３に取り付けられ、飲料の注出口部４１及び飲み口部４２を形成する栓体１０の骨格をなす部分である。
【００３２】
栓本体４には、ボトル本体１の本体開口部３に嵌合する栓パッキン４１ｃの嵌合部４１ａを備えた筒状の注出口部４１と、注出口部４１の上部側に一体に設けられた筒状の飲み口部４２と、が備えられている。
【００３３】
栓本体４における注出口部４１の上部と飲み口部４２の下部との間には、蓋体６側に取り付けられた飲み口パッキン６６の第１ゴム製パッキン６６ａをシールするための座面を形成する水平面構造の仕切り壁４３が設けられている。仕切り壁４３の中央部には、飲料注出用の楕円形上の飲料注出口４３ａ（飲料出口）が形成されている。
【００３４】
注出口部４１は、上部側で所定寸法縮径され、同じく縮径された飲み口部４２の底部と仕切り壁４３を介して一体化され、同仕切り壁４３の中央部分で飲料注出口４３ａを介して相互に連通している。
【００３５】
注出口部４１の栓パッキン４１ｃを嵌合する嵌合部４１ａは、略垂直な筒壁面外周に上下２段の環状リブを備えた構成となっている。その環状リブの外周には、嵌合用の環状の凹溝部を備えたゴム製の環状の栓パッキン４１ｃが嵌合されている。
【００３６】
栓パッキン４１ｃは、下端側にかけて次第に径が小さくなる円弧面を有している。図２のように、栓パッキン４１ｃは、ボトル本体１における本体開口部３の内側縮径部であるネック部３ｅ（ヒートキープ部）の上部に当接して本体開口部３をシールするようになっている。
【００３７】
飲み口部４２は、口付け部を形成する筒状壁が略垂直に形成されている。その筒状壁は全体に亘って同一の高さではなく、口付け部となる前部側（正面側）が高く、後端側（後面側）に行くにしたがって栓カバー５側の水平壁部５１に近くなるテーパー面形状の開口面を有する短かい筒体となっている。
【００３８】
飲み口部４２の高さの高い前端部の下部位置には、後述する蓋体６側に設けられたロックレバー８４の下端側鉤状の係合片８４ａの先端側爪部が着脱可能に係合する係合溝５６が設けられている。
【００３９】
飲み口部４２における内底部の飲料注出口４３ａは、栓本体４の略中央部に位置している。飲み口部４２は、飲料注出口４３ａを囲む形で設けられている。飲み口部４２の平面形状は、後端側で口径が少し拡大され、かつ、略半円形状にカットされている。栓カバー５の水平壁部後端側には、第１ヒンジブラケット部５３を設置できるスペースが形成されている。
【００４０】
栓本体４における注出口部４１の全体と飲み口部４２の下部部分の外周には、飲み口部４２の形状に対応した所定の外径の栓カバー嵌合用の第１フランジ部４４が設けられている。第１フランジ部４４に対して、栓本体４の注出口部４１及び飲み口部４２下部部分の外周を覆う栓カバー５が、上方側から嵌合一体化されている。
【００４１】
栓カバー５には、栓本体４の注出口部４１の第１フランジ部４４外周に嵌合される外径寸法を有する円形の水平壁部５１と、水平壁部５１の外周端から下方に筒状に延びた第１側壁部５２と、飲み口部４２の後部形状に対応して水平壁部５１の上部後端中央に設けられた第１ヒンジブラケット部５３と、が備えられている。栓カバー５は、栓本体４に固定された状態で後述するヒンジ軸５４を介して蓋体６及び蓋カバー７が前後方向に弧回動開閉可能に軸支されるようになっている。
【００４２】
筒状の第１側壁部５２の内径寸法は、注出口部４１及び飲み口部４２の下部部分との間には、ボトル本体１における上端の本体開口部３の部分が嵌合されるに十分な隙間が形成されるようになっている。
【００４３】
筒状の第１側壁部５２の内周面側には、ボトル本体１の本体開口部３外周面に設けた螺条部３ｄに螺合する段部５２ａが設けられている。栓本体４は、栓カバー５の第１側壁部５２を介して、ボトル本体１の本体開口部３に螺合固定されるようになっている。
【００４４】
栓カバー５の第１側壁部５２は、ボトル本体１の本体開口部３に螺合固定された状態においては、その下部がボトル本体１の本体開口部３の外周側肩部（段部面）に対応して嵌合され、ボトル本体１の本体開口部３外周を連続面状態でカバーするようになっている。
【００４５】
第１ヒンジブラケット部５３は、飲み口部４２の後部カット形状に対応して、全体として円形の水平壁部５１の後端より所定寸法前側に位置して設けられている。
【００４６】
これにより栓カバー５の外周円範囲内に収まる状態で斜め後方に所定の高さだけ起立せしめられている。
【００４７】
図９、図１０等に示すように、栓カバー５における後端の第１ヒンジブラケット部５３の下部側部分（第１側壁部５２上端後縁部分）には、蓋体６の開放角を大きくするための後方に向けて下降する下降傾斜面５９が形成されている。
【００４８】
図１１〜図１３に示すように、第１ヒンジブラケット部５３のヒンジ軸挿通孔部分には、ヒンジ軸５４を介して弧回動開閉可能に軸支された蓋体６及び蓋カバー７を、常時、図９、図１０等に示すような開方向に付勢するコイルバネ５７が設けられている。
【００４９】
栓カバー５の筒状の第１側壁部５２の上端側肩部部分には、水平壁部５１との間で、次に述べる蓋体６の第２側壁部６２下部の第２フランジ部６２ａ外周部を受け、また蓋カバー７の第３側壁部７３の下端を嵌合するための段部５２ａが形成されている。
【００５０】
段部５２ａには、基本的には、蓋カバー７の対応する板厚の第３側壁部７３が嵌合されるので、蓋カバー７が取り付けられた状態では、蓋カバー７の第３側壁部７３と栓カバー５の水平壁部５１側縦壁面との間に隙間は形成されない。
【００５１】
蓋カバー７の第３側壁部７３の前面側裏面には所定の深さの凹溝面部７３ｂが設けられており、同凹溝面部７３ｂにより所定の隙間が形成されている。その隙間を利用して蓋開閉用スライド部材８２の本体部８２ｂにおける下部の蹴り上げ部８２ａが嵌装されている。蓋開閉用スライド部材８２は、開閉レバー８１の押圧操作により任意に昇降するようになっている。
【００５２】
蓋開閉用スライド部材８２の本体部８２ｂの下部の蹴り上げ部８２ａの下端側後面には、上昇時において蓋体６側の開口６７の第１係合縁部６７ａの下端に係合して上昇位置が規制されるとともに、下降時において段部５２ａの水平面（下降位置規制面）に衝合される第１爪部８２ｈが備えられている。図４２及び図４３の下方からの矢印にて示すように、その水平面からの第１爪部８２ｈに対する反力により蓋体６が開方向に蹴り上げられるようになっている。
【００５３】
この場合、段部５２ａの水平壁部５１側の縦壁面は、下降してくる蹴り上げ部８２ａの第１爪部８２ｈを段部５２ａの水平面（衝合面）に衝合させるべくガイドするとともに、衝合後も継続する水平面の方向の下方への押圧力と相俟って蓋体６を、より効果的に開方向に蹴り上げる傾斜ガイド部となっている。蹴り上げ部８２ａの第１爪部８２ｈの外周面側も、その傾斜ガイド部に対応した傾斜面となっている。
＜蓋体６及び蓋カバー７の構成＞
図３、図４、図５〜図１０、図１４〜図２３に示すように、飲み口部４２の略半円形状の円筒形状（後部カット形状：図１０）に対応して、蓋体６の後端側には、第２ヒンジブラケット部６３及び栓カバー５側の第１ヒンジブラケット部５３の連結用開口部（Ｕ状の開口）がそれぞれ設けられている（図１０、図２１〜図２３を参照）。
【００５４】
蓋体６は、飲み口部４２の外周に嵌合し得る外径の第１天壁部６１及び筒状の第２側壁部６２を備えた浅い円筒形状に形成されている。
【００５５】
蓋体６の後端側に位置する左右の第２ヒンジブラケット部６３は、ヒンジ軸５４（及びコイルバネ５７）を介して、栓カバー５の第１ヒンジブラケット部５３の両側に弧回転可能に軸支されている。
【００５６】
第１ヒンジブラケット部５３の連結用開口部（Ｕ状の開口）の内端側中央部には、第１ヒンジブラケット部５３に対する制動部材６５が備えられている。制動部材６５は、制動部材６５の先端側当接部分を蓋体６の弧回動時に常時所定の圧接力を伴って第１ヒンジブラケット部５３の外周面に摺動させ、蓋体開放時の開放動作を安定したものにする作用を果たしている。
【００５７】
この場合、栓カバー５側の第１ヒンジブラケット部５３には、蓋体６を、例えば図９、図１０のように、後端側水平状態より下方に大きく開放させるためのコイルバネ５７が設けられている。
【００５８】
したがって、蓋体６は、開閉レバー８１により、ロックレバー８４を介した栓本体４側の係合溝５６との係合が解除されると、自動的に図９及び図１０に示すように開放される。
【００５９】
蓋体６の第１天壁部６１の中央部下面には、下方に延びる小径筒状の飲み口パッキン６６を取り付ける取付部６４が設けられている。取付部６４には、ゴム製の飲み口パッキン６６が下方側から着脱可能に嵌合されている。
【００６０】
飲み口パッキン６６には、飲み口部４２の飲料注出口４３ａをシールする有底筒状の第１ゴム製パッキン６６ａと、飲み口部４２の上端側テーパー面形状の開口面全体をシールするフランジ状の第２ゴム製パッキン６６ｂと、が備えられている。蓋体６の平面形状は、覆うべき飲み口部４２の形状に対応して後方に向けて外径を拡大した略半円状の形状となっている。
【００６１】
蓋体６の筒状の第２側壁部６２の下端外周には、所定の幅の第２フランジ部６２ａが略周方向に亘って一体に成型されている。第２フランジ部６２ａの外周には、外装体である蓋カバー７が一体に嵌合されるようになっている。
【００６２】
蓋カバー７は、閉状態において、栓カバー５と等径の連続感のある正円筒を形成する正円形状のものとなっている。したがって、蓋カバー７を嵌合一体化する第２フランジ部６２ａの外径は、後端側の第１ヒンジブラケット部５３との対応部（コの字状の切り欠き部を形成）を除いて基本的に正円形状となっている。
【００６３】
そして、蓋カバー７の前端側所定幅部分は、上方側に所定寸法高くなっている高台部分となっている。その高台部分には、ロックレバー８４の係合片８４ａを下方に臨ませ、飲み口部４２の下部に設けた係合溝５６内に係合させるための所定の大きさの円弧形状（平面視略方形の円弧形状）の開口６７が設けられている。
【００６４】
開口６７の前後方向の開口幅は、ロックレバー８４における係合片８４ａの部分が栓本体４の後方に回動して、係合溝５６内に係合し、栓本体４の前方に回動して、ロック解除されて係合溝５６の外部にリリースできるに十分な前後寸法となっている。
【００６５】
開口６７の前側には、ロック解除状態において蓋開閉用スライド部材８２（支持部材）の本体部８２ｂの蹴り上げ部８２ａの第１爪部８２ｈが係合する第１係合縁部６７ａが、設けられている。開口６７の後側には、ロック解除状態においてロックレバー８４の係合片８４ａの上端側途中が衝合する衝合縁部６７ｂ（突縁部）が設けられている。
【００６６】
蓋体６の開口６７の左右両側には、図１８、図１９等から明らかなように、左右に所定の間隔を空けて、ピン挿通孔６８ａを備えたピン軸支ブラケット６８が設けられている。
【００６７】
一対のピン軸支ブラケット６８間にレバーピン９０を挿通支持することで、ロックレバー８４の押圧片８４ｂと係合片８４ａが、前後方向に弧回転可能に軸支されるようになっている。例えば図３、図４、図１０のように、ロックレバー８４の係合片８４ａの略半分は、第２フランジ部６２ａの前端部側の開口６７から下方に臨まされるようになっている。
【００６８】
蓋体６の第２側壁部６２の前端のピン軸支ブラケット６８間の中央部位置には、レバースプリング８５の一端（後端）を内側に嵌装して前後方向に支持する筒状の第１ボス部６９が、設けられている。ロックレバー８４の押圧片８４ｂの後面側には、レバースプリング８５の他端（前端）を外側に嵌装して前後方向に支持する凸状の第２ボス部８４ｄが設けられている。
【００６９】
図３、図４に示すように、筒状の第１ボス部６９と凸状の第２ボス部８４ｄとの間には、所定の付勢強度のレバースプリング８５（伸び方向に付勢されたコイルバネ）が設けられている。これにより、蓋体６をロックしている状態では、レバーピン９０により弧回動可能に軸支されたロックレバー８４の押圧片８４ｂが前方側の開閉レバー８１における下端の係合壁部８１ｄの部分に係合する方向に押圧し、ロックレバー８４の係合片８４ａが飲み口部４２前端の係合溝５６内に常時係合するように付勢している。
【００７０】
ロックレバー８４の押圧片８４ｂの前端は、蓋体６のロック状態では、図３及び図４から明らかなように、開閉レバー８１の下端の係合壁部８１ｄの後面（後面）に当接して蓋体前方側への弧回動が規制されている。この際、開閉レバー８１も上方側から垂直方向下方に押圧操作されないので、ロックレバー８４は、レバースプリング８５の付勢力により係合片８４ａ先端の第２爪部８４ｆを栓本体飲み口部４２の係合溝５６内に係合したロック状態に維持されるようになっている。この場合、ロックレバー８４の押圧片８４ｂの前端は、上端側の一部が前方に向けて円弧面形状となる凸部として形成されている。
【００７１】
例えば図４０等に示すような蓋ロック状態では、開閉レバー８１の下端の後方に所定の角度で傾斜した傾斜壁部８１ｄ部分に係合して回動規制されている。開閉レバー８１が第１押圧操作により上方から下方に押し下げられた図４１の状態（安全ロック解除状態）では、円弧面形状の凸部部分が開閉レバー８１の上下方向に垂直な前壁部８１ｃの裏面側を下端から上端まで相対的にスライドし、さらに開閉レバー８１が第２押圧操作によって蓋体６の内方に向けて押圧された図４３の状態（蓋ロック解除状態）になると、その上部側の押圧操作面８１ｂの裏面側で押されて第３天壁部８１ａとのコーナー部まで相対的にスライドして後方に大きく弧回動し、その回動位置で、係合片８４ａにおける先端の鉤状の第２爪部８４ｆの栓本体４の飲み口部４２側の係合溝５６との係合を解除するようになっている。
【００７２】
ロックレバー８４の係合片８４ａの第２爪部８４ｆの下面は、円弧面として形成されている。飲み口部４２側筒状の係合溝５６の上面５６ａは、円弧面として成されている。
【００７３】
蓋ロック解除状態（図４３、図９、図１０の蓋体開状態）から、図３〜図８、図４０の蓋ロック状態に移行する際に、それらの各々がレバースプリング８５の押圧付勢力に抗して相互に滑らかに係合するようになっている。
【００７４】
次に、蓋体６の第２側壁部６２の前端の一対のピン軸支ブラケット６８の両側に位置する第２フランジ部６２ａの上面には、スライドスプリング８３の下端を嵌合支持するための凹溝部６２ｂが設けられている。図１８に示すように、凹溝部６２ｂを利用して蓋開閉用スライド部材８２を上下方向にスライド自在（上方に付勢支持された状態で昇降自在）に支持するスライドスプリング８３が設けられてる。
【００７５】
凹溝部６２ｂから少し後方に寄った位置には、第２側壁部６２との間にそれぞれ所定の間隔を空けて蓋開閉用スライド部材８２を上下方向にスライド自在に遊嵌ガイドするためのガイド溝６０ａ（縦溝）を備えたガイド部材６０（ガイド筒）が設けられている。図１８に示すように、ガイド部材６０のガイド溝６０ａには、蓋開閉用スライド部材８２の左右両端側のスライドリブ８２ｆが上下方向に昇降自由な形で嵌合される。
【００７６】
さらに、蓋カバー７は、基本的には蓋体６の外周をカバーする平面視略正円形の第２天壁部７１と、第２天壁部７１の外周から下方に延びた筒状の第３側壁部７３と、を備えた浅い筒状体で構成されている。
【００７７】
本実施形態の場合には、特に、前後方向中間位置部分から前端にかけて、第２天壁部７１と第３側壁部７３との間に、所定の傾斜角で後方側から前方に下降傾斜した傾斜壁部７２が設けられている。
【００７８】
傾斜壁部７２は、前後方向中間位置部分から前端にかけて、次第に前後方向（上下斜め方向）の幅が大きくなるように形成されている。傾斜壁部７２は、前端部中央位置で同幅が最も大きくなっている。傾斜壁部７２は、第２天壁部７１と第３側壁部７３とが形成する半周方向の角部を削る形で（３面構造に偏平化させる形で）形成されている。
【００７９】
傾斜壁部７２の前端側中央に位置して、第２天壁部７１から傾斜壁部７２を経て第３側壁部７３に連続する第１レバー嵌合口７１ａ（第２天壁部７１の部分），第２レバー嵌合口７２ａ（傾斜壁部７２の部分）、第３レバー嵌合口７３ａ（傾斜壁部７２の部分）がそれぞれ形成されている。図５〜図８に示すように、傾斜壁部７２の後端側中央には、第２天壁部７１から第３側壁部７３にかけてヒンジ部嵌合口７１ｂが設けられている。
【００８０】
蓋カバー７の第３側壁部７３の第３レバー嵌合口７３ａの左右両側裏面及び下部裏面には、上下方向に延びて後述する蓋開閉用スライド部材８２の本体部８２ｂ部分の全体（蹴り上げ部８２ａ部分を含む）を上下方向に昇降ガイドする所定の左右幅の凹溝面部７３ｂが相互に連続する形で設けられている。
【００８１】
凹溝面部７３ｂに対して、蓋開閉用スライド部材８２の本体部８２ｂ（その前面部分）が昇降スライド自由に摺接されている。これにより、蓋開閉用スライド部材８２が安定した状態で上下に昇降スライドするようになっている。
【００８２】
凹溝面部７３ｂは、例えば蓋カバー７の第３側壁部７３の板厚を部分的に薄くすることにより形成されている。凹溝面部７３ｂが、上述のように栓カバー５肩部の段部５２ａ部分において、水平壁部５１側傾斜面との間に隙間を作り、その隙間における水平面を蓋開閉用スライド部材８２の本体部８２ｂ下部の蹴り上げ部８２ａが衝合する蹴り上げ面としている。
【００８３】
蓋カバー７の相互に連通して上方から下方に３面構造に開口する第１レバー嵌合口７１ａ、第２レバー嵌合口７２ａ、第３レバー嵌合口７３ａには、例えば蓋カバー７を蓋体６に組み付けた段階において、それらの各々を蓋カバー７全体として面一な蓋カバー状態に閉じる（第２天壁部７１の面、傾斜壁部７２の面、第３側壁部７３の面の各々が連続面を形成するように閉じる）開閉レバー８１が、上下方向及び蓋体６の内方（斜め後方）に押圧スライド可能な状態で嵌合される。
＜開閉レバー８１の構成＞
図３、図４、図１８、図２４〜図２７に示すように、開閉レバー８１は、蓋カバー７の第１レバー嵌合口７１ａの形状及び寸法に対応し、第２天壁部７１と同一の水平面を形成する第３天壁部８１ａ、蓋カバー７の第２レバー嵌合口７２ａの形状及び寸法に対応し、傾斜壁部７２と同一の傾斜面を形成する押圧操作面８１ｂ、蓋カバー７の第３レバー嵌合口７３ａの形状及び寸法に対応し、第３側壁部７３と同一の垂直面（円筒面）を形成するする前壁部８１ｃを備える３面壁構造となっている。それらの各部が第１レバー嵌合口７１ａ、第２レバー嵌合口７２ａ、第３レバー嵌合口７３ａ部分に適切に嵌合するように、蓋ロック状態における断面形状としては、周方向に連続した蓋カバー７自体の外形を形成するように構成されている（図１及び図５〜図８における栓体１０の外部形態を参照）。
【００８４】
前壁部８１ｃの下端には、後方側に向けて所定幅突出し、後述する蓋開閉用スライド部材８２の本体部８２ｂの上端面側に設けられた所定の傾斜角の第１スライドガイド面である第１傾斜ガイド面８２ｉ（左右両端側及び中央部）（図１８及び図２８参照）に沿う傾斜角の傾斜面を有する係合壁部８１ｄが設けられている。
【００８５】
係合壁部８１ｄの下面側傾斜面は、蓋開閉用スライド部材８２の本体部８２ｂの上端面側の第１傾斜ガイド面８２ｉに摺動可能に当接する状態で支持されている。
【００８６】
上述した安全ロック状態（図３５の（ａ）、図３６、図４０の状態を参照）にある開閉レバー８１が、まず第１押圧操作によって上方から下方に押圧され、上述の蓋開閉用スライド部材８２の蹴り上げ部８２ａが栓カバー５の段部５２ａの水平面に衝合して位置規制された時（安全ロックが解除された時：図３５の（ｂ）、図３７、図４１の各状態を参照）から、第１傾斜ガイド面８２ｉ上を蓋体６の内方側下方に向けて所定距離ｄだけスライドさせる（図３５の（ｃ）、図３８、図４２を参照）。これにより、開閉レバー８１が第１レバー嵌合口７１ａ、第２レバー嵌合口７２ａ内方に誘導され、その後にロックレバー８４を弧回動させて、蓋体６のロック状態を解除する第２押圧操作状態（図３５の（ｄ）、図３９、図４３参照）に連続させるようになっている。
【００８７】
開閉レバー８１の左右両側壁部外側には、蓋開閉用スライド部材８２の左右両側に設けられている係合部８２ｄの部分にスライド可能に係合する係合部材８１ｅが設けられている。各係合部材８１ｅは、それぞれ、後面側から後方に向けて所定の長さ伸びた断面鉤型のスライド部材で構成されている、
係合部材８１ｅの下面側には、蓋開閉用スライド部材８２の係合部８２ｄの第２傾斜ガイド面８２ｅに係合してスライドする係合面８１ｆが設けられている。第２傾斜ガイド面８２ｅ及び係合面８１ｆは、第１傾斜ガイド面８２ｉ及び係合壁部８１ｄの傾斜面に比べて十分に長くなっている。
【００８８】
開閉レバー８１は、蓋開閉用スライド部材８２の左右両側に設けられている係合部８２ｄにスライド可能に係合する左右一対の係合部材８１ｅを介して蓋開閉用スライド部材８２の係合部８２ｄに係合一体化された状態では、係合部材８１ｅの下部側の係合面８１ｆを蓋開閉用スライド部材８２の係合部８２ｄの第２傾斜ガイド面８２ｅによりガイドされてスライドする。
【００８９】
第２傾斜ガイド面８２ｅによるスライドは、蓋開閉用スライド部材８２の本体部８２ｂの上端面側に設けられた第１傾斜ガイド面８２ｉ（左右両端側及び中央部）による係合壁部８１ｄのスライドと協働するようになっている。
【００９０】
まず安全ロック状態（図３５の（ａ）、図３６、図４０の状態）にある開閉レバー８１が、第１押圧操作によって上方から下方に押圧されて、蓋開閉用スライド部材８２の蹴り上げ部８２ａが栓カバー５の段部５２ａの水平面に衝合すると（安全ロック解除：図３５の（ｂ）、図３７、図４１の状態）、第１傾斜ガイド面８２ｉ及び第２傾斜ガイド面８２ｅ上を蓋体６の内方側下方に向けて所定距離ｄだけスライドさせる（図３５の（ｃ）、図３８、図４２を参照）。それにより、開閉レバー８１を、第１レバー嵌合口７１ａと第２レバー嵌合口７２ａの内方に誘導し、その後、第２押圧操作（図３５の（ｄ）、図３９、図４３参照）により、ロックレバー８４の押圧片８４ｂを後方に弧回動させて、蓋体６のロック状態を解除する。
【００９１】
第１押圧操作完了後の開閉レバー８１の垂直方向下方への押圧力が、開閉レバー８１を蓋カバー７の第１レバー嵌合口７１ａと第２レバー嵌合口７２ａの内側下方へ押し込むロック解除用の第２押圧操作となるように開閉レバー８１全体をスライドさせる。
【００９２】
蓋開閉用スライド部材８２の係合部８２ｄの第２傾斜ガイド面８２ｅ、及び、本体部８２ｂ上端面側の第１傾斜ガイド面８２ｉは、それぞれ、開閉レバー８１を蓋カバー７の第１レバー嵌合口７１ａ及び第２レバー嵌合口７２ａの内側下方へ押し込むロック解除用の第２押圧操作を実現（誘導）するのに適した下降傾斜ガイド面に構成されている。対応する開閉レバー８１側の係合面８１ｆ、８１ｆ及び係合壁部８１ｄの下面も、同様の傾斜角の下降傾斜面に形成されている。
【００９３】
第１傾斜ガイド面８２ｉ及び第２傾斜ガイド面８２ｅの傾斜角は、開閉レバー８１の押圧操作面である押圧操作面８１ｂが第１押圧操作によって上方から下方に押し下げられて第２押圧操作方向に誘導されるまでは（安全ロック状態が解除されるまでは）、相互にスライドすることなく係合して蓋開閉用スライド部材８２（蹴り上げ部８２ａ）を栓カバー５の段部５２ａの水平面まで下降させることができる。一方で、第１傾斜ガイド面８２ｉ及び第２傾斜ガイド面８２ｅの傾斜角は、段部５２ａの水平面に衝合すると、有効な下降方向へのスライド作用が生じるように設定されている。
【００９４】
開閉レバー８１の押圧操作面である押圧操作面８１ｂの傾斜角は、上方から下方への有効な第１押圧操作が可能で、かつ第１押圧操作完了後、第２押圧操作方向に効果的に押圧力を誘導、作用させることができるように設定される。
【００９５】
開閉レバー８１及び蓋開閉用スライド部材８２は、例えば図１８に示すように、スライドスプリング８３、ロックレバー８４、レバースプリング８５、レバーピン９０等を介して、蓋体６の上部に一体に組み付けられている。開閉レバー８１及び蓋開閉用スライド部材８２は、蓋体６に対して、蓋カバー７が外周側の第２フランジ部６２ａ部分を利用して嵌合一体化されている。これにより、図１７、図３、図４等に示すように、有益なオートロック機構を備えた蓋体６が構成されている。
【００９６】
なお、本実施形態の場合、蓋カバー７の第１レバー嵌合口７１ａの開口面端部（正面側端部）には、左右両方向に延びて所定の長さ、所定の深さの凹部ｂ（凹溝）が設けられている。他方、第１レバー嵌合口７１ａの部分に嵌合される開閉レバー８１の第３天壁部８１ａの対応する端部には、同様の長さで、対応する高さの凸部ａが設けられている。凹部ｂと凸部ａとによって、相互に協働（係合）して機能する開閉レバー８１の下降抑制手段が形成されている。
【００９７】
この下降抑制手段によると、開閉レバー８１に対して、本来の栓体１０の垂直方向下方への押圧力とは異なる方向の下方への押圧力が作用した時に、蓋カバー７の第２天壁部７１の端部と開閉レバー８１の第３天壁部８１ａの端部との隣接部における凸部ａと凹部ｂが相互に係合して、確実に開閉レバー８１の下降を阻止する。
【００９８】
その結果、蓋体６の蓋ロック状態が確実に維持される。
【００９９】
この場合、開閉レバー８１の第３天壁部８１ａの端部に設けられた凸部ａと蓋カバー７の第２天壁部７１側の端部に設けられた凹部ｂとの間には、本来の栓体１０の垂直方向下方への押圧力とは異なる正面または斜め上方からの押圧力が作用しない限り相互に係合しないクリアランスｃが設定されている。これにより、図４に示すように、本来の垂直方向下方への押圧操作は適正に行われる。
＜蓋開閉用スライド部材８２の構造＞
図３、図４、図２８〜図３２等に示すように、開閉レバー８１は、蓋開閉用スライド部材８２に対して前後方向にスライド可能にマウントされ、同蓋開閉用スライド部材８２を介して昇降可能、かつロック解除操作可能に支持されている。
【０１００】
蓋開閉用スライド部材８２は、例えば図２８〜図３２に示すように、上下に所定の幅及び左右に所定の長さを有する円弧板状の本体部８２ｂを中心として構成されている。
【０１０１】
蓋開閉用スライド部材８２の左右両端側には、開閉レバー８１両側の係合部材８１ｅをスライド可能に係合する係合部８２ｄ、蓋体６側に設けられたガイド部材６０のガイド溝６０ａに嵌合されて上下方向にスライド（昇降）する短板状のスライドリブ８２ｆ、蓋開閉用スライド部材８２を常時上方に上昇付勢した状態で昇降自在に支持するスライドスプリング８３の上端を嵌装する嵌装凸部８２ｇを備えた支持部材８２ｃ（支持ブラケット）が設けられている。
【０１０２】
蓋開閉用スライド部材８２は、支持部材８２ｃのスライドリブ８２ｆを上述した蓋体６の側のガイド部材６０のガイド溝６０ａに遊嵌させるとともに、嵌装凸部８２ｇと蓋体６側の第２フランジ部６２ａ上の凹溝部６２ｂとの間にスライドスプリング８３を介装してある。これにより、蓋開閉用スライド部材８２は、蓋体６の第２フランジ部６２ａと蓋カバー７の裏面との間に位置して常時上昇方向に付勢された状態で昇降自在に支持されている。蓋開閉用スライド部材８２の本体部８２ｂの前面は、蓋カバー７の第３側壁部７３の凹溝面部７３ｂに摺接してガイドされながら昇降するようになっている。
【０１０３】
蓋開閉用スライド部材８２の本体部８２ｂの中央部には、所定の幅及び所定の長さで下方に伸びる蹴り上げ部８２ａが設けられている。蹴り上げ部８２ａは、下端内側に上述のように第１爪部８２ｈを有している。
【０１０４】
図３、図４に示すように、蹴り上げ部８２ａは、蓋ロック状態では同第１爪部８２ｈの上端を蓋体６の第２フランジ部６２ａ前端高台部分に形成した開口６７の第１係合縁部６７ａ下端に係合して蓋開閉用スライド部材８２及び開閉レバー８１の上方への昇降位置を規制し、開閉レバー８１が蓋カバー７の第１レバー嵌合口７１ａ、第２レバー嵌合口７２ａ、第３レバー嵌合口７３ａ部分に適切に嵌合された上昇状態（安全ロック状態）を維持するようになっている。
【０１０５】
他方、蹴り上げ部８２ａは、開閉レバー８１が、第１押圧操作によって上方から下方に（略垂直方向下方に）押圧されると、第１爪部８２ｈが蓋カバー７の第３側壁部７３の凹溝面部７３ｂの中央部分で栓カバー５の段部５２ａの水平面に衝合して、その下降位置を規制する。
【０１０６】
この下降位置で、開閉レバー８１の安全ロック状態を解除し、第１傾斜ガイド面８２ｉ、第２傾斜ガイド面８２ｅを介して、開閉レバー８１を第２押圧操作方向に誘導位置まで誘導する。
【０１０７】
この誘導位置から、さらに第２押圧操作がなされると、開閉レバー８１が蓋体６の内方に向けて所定距離進入し、押圧操作面８１ｂの裏面でロックレバー８４の押圧片８４ｂをロック解除方向後方に回動させて、係合片８４ａの第２爪部８４ｆの飲み口部４２側の係合溝５６との係合を解除し、蓋体６の開放を可能とする。
【０１０８】
同時に、ロック解除時における第１爪部８２ｈの栓カバー５の段部５２ａの水平面に対する衝合と水平面からの反力により、蓋体６が上方側に蹴り上げられ、ロック解除後の再ロックが回避される。
【０１０９】
蹴り上げ効果を生じさせるために、開閉レバー８１の押圧時において、蹴り上げ部８２ａの第１爪部８２ｈは、蓋カバー７の第３側壁部７３の下端より少し下方に突出するように構成されている。
＜開閉レバー８１、蓋開閉用スライド部材８２、ロックレバー８４の動作＞
以上のように、開閉レバー８１が、スライドスプリング８３，８３によって常時上昇方向に付勢支持された昇降自在な蓋開閉用スライド部材８２の第１傾斜ガイド面８２ｉを有する本体部８２ｂに対して係合壁部８１ｄを介して、また、第２傾斜ガイド面８２ｅ ,８２ｅを有する係合部（係合溝部）８２ｄ、８２ｄに対して係合部材８１ｅ、８１ｅを介して、それぞれスライド可能に係合支持されている。これにより、開閉レバー８１は、蓋開閉用スライド部材８２と一体で上下方向に昇降可能、かつ、開閉レバー８１単独で前後方向にスライド可能となり、上方から垂直方向下方への第１押圧操作によって蓋開閉用スライド部材８２と共に下降し、下降時において上述した安全ロック状態を解除する一方、下降後において前方から後方に単独でスライドして、ロックレバー８４の蓋ロック状態を解除するようになる。
【０１１０】
これにより、開閉レバー８１の蓋開閉用スライド部材８２と一体の上下方向の昇降動作と開閉レバー８１単独の前後方向のスライド動作とをそれぞれ独立した形で容易に実現できる。さらに、開閉レバー８１の蓋体６（栓本体４）に対する上方から下方への第１押圧操作（安全ロック解除）、前方から後方への第２押圧操作（蓋ロック解除操作；メインロック解除操作）を、それぞれロックレバー８４の動作状態とは関係なく実現できる。
【０１１１】
このような構成によると、安全ロック解除、安全ロック設定のための開閉レバー８１の上下方向の昇降動作と、メインロック解除、メインロック設定のための開閉レバー８１の前後方向のスライド動作との２つの異なる動作が、ロックレバー８４のロック状態、ロック解除状態に関係なく実現される。すなわち、開閉レバー８１の上方から下方への第１押圧操作、前方から後方への第２押圧操作が、それぞれロックレバー８４と機械的に連系することなく、独立した形で実現される。
【０１１２】
このように、開閉レバー８１は、スライドスプリング８３，８３により常時上昇方向に付勢支持された蓋開閉用スライド部材８２により、ロックレバー８４のロック状態、ロック解除状態に関係なく昇降可能となっており、安全ロック解除のための上方から下方への第１押圧操作により下降して安全ロックを解除し、さらに蓋体６の前後方向への第２押圧操作により蓋開閉用スライド部材８２の第１傾斜ガイド面８２ｉ、第２傾斜ガイド面８２ｅ上を蓋体６の内方にスライドしてロックレバー８４のロックを解除する。
【０１１３】
その後は、蓋開閉用スライド部材８２（そのスライドスプリング８３，８３の付勢力）により自動的に元の上昇位置（図３、図４、図４０の状態）に復帰し、ロックレバー８４のロック状態、ロック解除状態の如何に関係なく、確実に安全ロックを設定した状態となる。そのため、より安全ロック機能が高くなる。
【０１１４】
なお、以上の構成では、開閉レバー８１が遊嵌されている蓋カバー７の第３側壁部７３側の第３レバー嵌合口７３ａ下部部分は、例えば蓋体６がロック状態にある時には、図１、図３、図４、図１７に示すように、開閉レバー８１が上端側にあるため、所定上下幅（下降ストローク寸法分）だけ開口していて、内側の蓋開閉用スライド部材８２の本体部８２ｂの前面部分が外から見えるようになっている。したがって、蓋開閉用スライド部材８２の本体部８２ｂの前面部分の色を赤くするなどすると、赤い部分の色から安全ロック状態にあることが明確に判明するようになる。
＜オートロック機構の基本的な構成と作用＞
以上の構成では、図３、図４、図１７、図１８等に示すように、蓋カバー７も、蓋体６の場合と同様に、全体として前端側の高さが高く、後端側に行くに従って高さが低くなるテーパー面構造の筒状体に形成されている。
【０１１５】
その筒状体の第３側壁部７３の前端部と内側の蓋体６の第２側壁部６２の前端部との間には、蓋体６の後方に向けて外径を拡大した略半円状の形状（飲み口部４２に対応した形状）と蓋カバー７の正円形状との形状差から、左右及び前後に亘って所定の大きさの隙間が形成されている。その所定の大きさの隙間を利用して、蓋体６の開閉機構に安全ロック、メインロックをかけ、また、それら各ロック状態を解除して、蓋体６を開閉するための操作方向を異にする２段モーション（ツーアクション）型のオートロック機構が設けられている。
【０１１６】
オートロック機構には、図１７、図１８等に示すように、上方から下方に押圧操作される開閉レバー８１と、開閉レバー８１の押圧操作に応じて上下方向にスライド（昇降）する左右方向に長い蓋開閉用スライド部材８２と、蓋開閉用スライド部材８２を常時上昇方向に付勢支持する左右一対のスライドスプリング８３と、蓋体６を閉状態にロックするとともに必要に応じてロック状態を解除するロックレバー８４と、ロックレバー８４を常時方向に付勢するレバースプリング８５と、が備えられている。
【０１１７】
開閉レバー８１は、蓋開閉用スライド部材８２の上部にスライド可能に係合支持されている。開閉レバー８１は、蓋開閉用スライド部材８２と共に上下に昇降するとともに、開閉レバー８１を介して蓋開閉用スライド部材８２が上方から下方に押圧されて栓カバー５の段部５２ａ上に下降停止した位置で、開閉レバー８１がさらに下方に押圧されると、同押圧力と栓カバー５側からの反力で所定距離栓体後方にスライドし、レバースプリング８５の付勢力に抗して、ロックレバー８４の上端側の押圧片８４ｂ（ロック解除片）を栓体後方に押圧傾動させて、ロックレバー８４の係合片８４ａと飲み口部４２側の係合溝５６との係合を解除し、図９、図１０に示すように、蓋体６を開放するようになっている。
【０１１８】
本実施形態の構成では、開閉レバー８１が、蓋カバー７の第２天壁部７１と第３側壁部７３の前端部との間で所定幅、所定傾斜角の押圧操作面８１ｂを形成している。押圧操作面８１ｂは、上方から下方への押圧部（押圧操作面）となっている。
【０１１９】
図４０に示すように、第３天壁部８１ａが垂直方向下方に押圧操作されていない蓋ロック状態では、蓋カバー７の傾斜壁部７２の前端側壁部の相互に連続する壁面部を形成している。
【０１２０】
第３天壁部８１ａが垂直方向下方に押圧操作されていない蓋ロック状態から、開閉レバー８１の押圧操作面８１ｂ（押圧操作部）が垂直方向下方に押圧されて、例えば図４１に示すように、開閉レバー８１及び蓋開閉用スライド部材８２が下降し、蓋開閉用スライド部材８２下部の蹴り上げ部８２ａの第１爪部８２ｈが蓋体６を支持している栓カバー５の段部５２ａの上面に衝合する。すると、上面部分で下降動作が停止（規制）され、開閉レバー８１の押圧操作面８１ｂに作用する下方への押圧力は、押圧操作面８１ｂの傾斜面と上述した第１傾斜ガイド面８２ｉ及び第２傾斜ガイド面８２ｅによる誘導作用により、蓋体６の内方側下方に向けて作用するようになる。
【０１２１】
図４２〜図４３に示すように、それまで上方から下方に押圧されていた開閉レバー８１は、蓋体６の内方側下方に向けて所定距離だけ進入し、第２レバー嵌合口７２ａを開口させた状態で、レバースプリング８５の付勢力に抗してロックレバー８４の押圧片８４ｂ（ロック解除片）の部分を栓体１０の後方に所定角回動させる。
【０１２２】
ロックレバー８４の係合片８４ａの第２爪部８４ｆと飲み口部４２側の係合溝５６との係合を解除して、蓋体６を開放する。このとき、蓋開閉用スライド部材８２の下部の蹴り上げ部８２ａの栓カバー蹴り上げ作用が働いて、蓋体６を蹴り上げ、不用意な再ロックを回避する。
【０１２３】
蓋体６が一旦開放されると、開閉レバー８１は、蓋体６の開放状態において、レバースプリング８５とスライドスプリング８３とのそれぞれの付勢作用により、元の状態に戻って安全ロックをかける。さらに、栓本体４に対して蓋体６が閉められると、それに加えて再び、図４０に示すように、蓋体６のメインロック状態が実現する。
＜作用効果＞
ボトル本体１の本体開口部３に対して取り付けられた飲料注出口４３ａを有する栓本体４と、栓本体４に弧回動可能に軸支され、飲料注出口４３ａをシールする蓋体６と、蓋体６を閉状態にロック可能なロックレバー８４と、蓋体６の上方位置に付勢支持されることによりロックレバー８４の蓋ロック状態を解除不能に維持している一方、蓋体６の下方に向けた第１押圧操作により下降し、その第１押圧操作後の下降状態からの蓋体６の内方に向けた第２押圧操作によりロックレバー８４の蓋ロック状態を解除する開閉レバー８１と、開閉レバー８１を第１押圧操作及び第２押圧操作が可能な状態に支持する蓋開閉用スライド部材８２とからなり、蓋開閉用スライド部材８２は、第１押圧操作がなされた開閉レバー８１を第２押圧操作方向にガイドする第１傾斜ガイド面８２ｉ、第２傾斜ガイド面８２ｅを介して開閉レバー８１を支持している。
【０１２４】
蓋体６を開閉するに際して、共通する１つの開閉レバー８１を用いて、開閉レバー８１が蓋体６の上方位置に付勢支持されている場合には、ロックレバー８４の蓋ロック状態を解除することができない状態に維持できる。したがって、従来のものと同様の確実な安全ロック機能を実現できる。
【０１２５】
一方、開閉レバー８１を上方から下方に押し下げる第１押圧操作を行うと安全ロック機能が解除され、開閉レバー８１を下方に押し下げた状態において、さらに蓋体６の内方に移動させる第２押圧操作を行うと、ロックレバー８４を解除方向に作動させて蓋体６のロック状態を解除できる。
【０１２６】
この場合、従来の構成では、開閉レバー８１が支持部材に対して回動軸を介して弧回動可能に支持されており、開閉レバー８１の支持位置は支持部材に対して固定であり、開閉レバー単独での相対的な移動は不可能であった。したがって、第１操作と第２操作は、蓋体の垂直方向下方への押圧操作と蓋体の水平方向後方への回動操作との操作方向、操作方法が異なる２種、２段階の独立した操作となっていて、使用者にとって蓋体の開放操作が分かりづらかった。
【０１２７】
これに対し、蓋開閉用スライド部材８２が開閉レバー８１を、第１操作と、第１操作とは操作方向の異なる第２操作が可能な状態に支持しているのは同じでも、第１操作と第２操作とがいずれも押圧操作である。従来の第２操作は回動操作であった。
【０１２８】
蓋開閉用スライド部材８２による開閉レバー８１の支持状態が、従来のような回動軸による固定ではなく、第１押圧操作がなされた開閉レバー８１を第２押圧操作方向にガイドする第１傾斜ガイド面８２ｉ、第２傾斜ガイド面８２ｅを介してスライド可能に支持している。
【０１２９】
したがって、まず開閉レバー８１に対して、上方から下方に向けた第１押圧操作がなされると、開閉レバー８１は、第１押圧操作によって所定位置まで下降して位置規制される。説明を加えると、蓋開閉用スライド部材８２の下端が栓本体４の上面に当接して停止しする。この下降状態において安全ロック状態が解除される。
【０１３０】
そして、その後も同様に開閉レバー８１を下方に向けて押圧すると、開閉レバー８１は、蓋開閉用スライド部材８２の第１傾斜ガイド面８２ｉ、第２傾斜ガイド面８２ｅにより誘導、ガイドされて緩やかに下降し、そのまま蓋体６の内方に向けたロックレバー８４作動のための第２押圧操作状態が実現される。そして、それにより、最終的な蓋体６の蓋ロック解除状態が実現される。
【０１３１】
この結果、第１操作に続いて第２操作が連続する形で実現されるとともに、ロック解除方向としては互いに方向の異なる第１操作と第２操作とを、操作方法としては共通の押圧操作として実現できる。したがって、操作が容易になり、操作方法も分かり易くなる。
【０１３２】
開閉レバー８１の押圧操作面８１ｂが傾斜面となっているので、押圧操作面８１ｂにより、第１押圧操作に続いて開閉レバー８１に作用する上方から下方への押圧力を第２押圧操作方向に向けて作用させるようにしている。上方から下方に押圧されてきた開閉レバー８１は、下降不能となった下降規制位置から、蓋開閉用スライド部材８２の第１傾斜ガイド面８２ｉ、第２傾斜ガイド面８２ｅによるガイド作用に加えて、傾斜面である押圧操作面８１ｂによる蓋体６の内方への押圧ガイド作用が加わる。
【０１３３】
その結果、より確実でスムーズな態様で、蓋体６の内方に向けた第２押圧操作状態が実現される。したがって、操作方向の異なる２つの操作形態を採用していながら、連続性のある感覚的に操作の仕方が分かり易い構造になる。
【０１３４】
蓋開閉用スライド部材８２の下部には、第２押圧操作による開閉レバー８１の押圧操作完了時において栓カバー５の上面を蹴り上げて蓋体６を開放する蹴り上げ部８２ａが設けられている。
【０１３５】
第２押圧操作完了（開閉レバー８１による蓋ロック解除完了）に連動して蓋開閉用スライド部材８２下端側の蹴り上げ部８２ａが栓カバー５の上面を蹴り上げて確実に蓋体６を開放する。このため、不用意に開閉レバー８１の押圧操作を止めたとしても、ロックレバー８４復帰による蓋体６の再ロックを防止して、確実に蓋体６を開放させることができるようになる。
【０１３６】
従来の構成では、このような構成が採用されていなかったので、蓋体のロック解除後、指で蓋体を跳ね上げる操作を行なわないと、ロックレバー８４の復帰により再ロックがかかるケースがあったが、以上の構成では、そのような問題がなくなり、さらに操作性が向上する。
【０１３７】
蹴り上げ部８２ａは、例えば蓋ロック解除後の蓋開閉用スライド部材８２及び開閉レバー８１の上昇位置を規制する係合片を兼用する形で形成される。
【０１３８】
以上のように、蓋体６の下方への第１操作により下降し、下降状態において、蓋体６の内側下方へ向けて行われる開閉レバー８１の第２操作が第２傾斜ガイド面８２ｅ及び傾斜した押圧操作面８１ｂによって適切にガイドされて連続した操作となる。さらに、互いに操作方向の異なる第１操作方法と第２操作方法とが、いずれも押圧操作として共通化されている。これにより、使用者は、操作方法の相違を特に意識することなく、開閉レバー８１を直感的な操作で、蓋体６の開閉を行うことができる。
【０１３９】
その結果、従来どおり、確実な安全ロックを維持しながら、蓋体６の開放操作が直感的に認識でき、しかも、蓋体６の開放操作が遥かに行い易い、操作性に優れた飲料用容器の栓体構造を実現できる。
【符号の説明】
【０１４０】
１      ：ボトル本体
３      ：開口部
４      ：栓本体
６      ：蓋体
４３ａ  ：飲料注出口
８１    ：開閉レバー
８１ｂ  ：押圧操作面
８２ａ  ：蹴り上げ部
８２ｃ  ：支持部材
８２ｅ  ：第２傾斜ガイド面（傾斜ガイド面）
８２ｉ  ：第１傾斜ガイド面（傾斜ガイド面）
８４    ：ロックレバー
【図１】
2019206369.tif 000003
【図２】
2019206369.tif 000004
【図３】
2019206369.tif 000005
【図４】
2019206369.tif 000006
【図５】
2019206369.tif 000007
【図６】
2019206369.tif 000008
【図７】
2019206369.tif 000009
【図８】
2019206369.tif 000010
【図９】
2019206369.tif 000011
【図１０】
2019206369.tif 000012
【図１１】
2019206369.tif 000013
【図１２】
2019206369.tif 000014
【図１３】
2019206369.tif 000015
【図１４】
2019206369.tif 000016
【図１５】
2019206369.tif 000017
【図１６】
2019206369.tif 000018
【図１７】
2019206369.tif 000019
【図１８】
2019206369.tif 000020
【図１９】
2019206369.tif 000021
【図２０】
2019206369.tif 000022
【図２１】
2019206369.tif 000023
【図２２】
2019206369.tif 000024
【図２３】
2019206369.tif 000025
【図２４】
2019206369.tif 000026
【図２５】
2019206369.tif 000027
【図２６】
2019206369.tif 000028
【図２７】
2019206369.tif 000029
【図２８】
2019206369.tif 000030
【図２９】
2019206369.tif 000031
【図３０】
2019206369.tif 000032
【図３１】
2019206369.tif 000033
【図３２】
2019206369.tif 000034
【図３３】
2019206369.tif 000035
【図３４】
2019206369.tif 000036
【図３５】
2019206369.tif 000037
【図３６】
2019206369.tif 000038
【図３７】
2019206369.tif 000039
【図３８】
2019206369.tif 000040
【図３９】
2019206369.tif 000041
【図４０】
2019206369.tif 000042
【図４１】
2019206369.tif 000043
【図４２】
2019206369.tif 000044
【図４３】
2019206369.tif 000045